(57)【特許請求の範囲】
【請求項１】
基地局装置と通信する端末装置であって、
ＲＲＣ制御データを取得する上位層処理部と、
チャネル状態情報リクエストを含む物理下りリンク制御チャネルを受信する下りリンク受信部と、
前記チャネル状態情報リクエストに基づき、チャネル品質指標（ＣＱＩ）を複数含むフィードバック情報を送信する上りリンク送信部と、を備え、
前記ＲＲＣ制御データは、プライマリセルの設定情報を含み、
前記プライマリセルの設定情報は、１つ以上のサブフレームセットを示す設定情報と、チャネル状態情報（ＣＳＩ）に関する複数の拡張設定情報と、を含み、
前記拡張設定情報の各々は、下りリンク参照信号（ＣＳＩＲＳ）を指定する情報を含み、
複数の前記チャネル品質指標は、前記１つ以上のサブフレームセットのうち、前記チャネル状態情報リクエストを含む物理下りリンク制御チャネルが含まれている前記下りリンクサブフレームに応じて決まる１つのサブフレームセットにおける複数のチャネル品質指標であり、
複数の前記チャネル品質指標の各々は、前記拡張設定情報の各々に含まれる前記情報により指定される前記下りリンク参照信号を参照して算出されるチャネル品質指標である端末装置。
【請求項２】
前記拡張設定情報の各々は、非周期的フィードバックにおける報告モードを指定する情報を含む、請求項１に記載の端末装置。
【請求項３】
端末装置と通信する基地局装置であって、
ＲＲＣ制御データを通知する上位層処理部と、
チャネル状態情報リクエストを含む物理下りリンク制御チャネルを送信する下りリンク送信部と、
前記チャネル状態情報リクエストに基づき、チャネル品質指標（ＣＱＩ）を複数含むフィードバック情報を受信する上りリンク受信部と、を備え、
前記ＲＲＣ制御データは、プライマリセルの設定情報を含み、
前記プライマリセルの設定情報は、１つ以上のサブフレームセットを示す設定情報と、チャネル状態情報（ＣＳＩ）に関する複数の拡張設定情報と、を含み、
前記拡張設定情報の各々は、下りリンク参照信号（ＣＳＩＲＳ）を指定する情報を含み、
複数の前記チャネル品質指標は、前記１つ以上のサブフレームセットのうち、前記チャネル状態情報リクエストを含む物理下りリンク制御チャネルが含まれている前記下りリンクサブフレームに応じて決まる１つのサブフレームセットにおける複数のチャネル品質指標であり、
複数の前記チャネル品質指標の各々は、前記拡張設定情報の各々に含まれる前記情報により指定される前記下りリンク参照信号を参照して算出されるチャネル品質指標である基地局装置。
【請求項４】
前記拡張設定情報の各々は、非周期的フィードバックにおける報告モードを指定する情報を含む、請求項３に記載の基地局装置。
【請求項５】
基地局装置と通信する端末装置における通信方法であって、
ＲＲＣ制御データを取得するステップと、
チャネル状態情報リクエストを含む物理下りリンク制御チャネルを受信するステップと、
前記チャネル状態情報リクエストに基づき、チャネル品質指標（ＣＱＩ）を複数含むフィードバック情報を送信するステップと、を備え、
前記ＲＲＣ制御データは、プライマリセルの設定情報を含み、
前記プライマリセルの設定情報は、１つ以上のサブフレームセットを示す設定情報と、チャネル状態情報（ＣＳＩ）に関する複数の拡張設定情報と、を含み、
前記拡張設定情報の各々は、下りリンク参照信号（ＣＳＩＲＳ）を指定する情報を含み、
複数の前記チャネル品質指標は、前記１つ以上のサブフレームセットのうち、前記チャネル状態情報リクエストを含む物理下りリンク制御チャネルが含まれている前記下りリンクサブフレームに応じて決まる１つのサブフレームセットにおける複数のチャネル品質指標であり、
複数の前記チャネル品質指標の各々は、前記拡張設定情報の各々に含まれる前記情報により指定される前記下りリンク参照信号を参照して算出されるチャネル品質指標である通信方法。
【請求項６】
端末装置と通信する基地局装置における通信方法であって、
ＲＲＣ制御データを通知するステップと、
チャネル状態情報リクエストを含む物理下りリンク制御チャネルを送信するステップと、
前記チャネル状態情報リクエストに基づき、チャネル品質指標（ＣＱＩ）を複数含むフィードバック情報を受信するステップと、を備え、
前記ＲＲＣ制御データは、プライマリセルの設定情報を含み、
前記プライマリセルの設定情報は、１つ以上のサブフレームセットを示す設定情報と、チャネル状態情報（ＣＳＩ）に関する複数の拡張設定情報と、を含み、
前記拡張設定情報の各々は、下りリンク参照信号（ＣＳＩＲＳ）を指定する情報を含み、
複数の前記チャネル品質指標は、前記１つ以上のサブフレームセットのうち、前記チャネル状態情報リクエストを含む物理下りリンク制御チャネルが含まれている前記下りリンクサブフレームに応じて決まる１つのサブフレームセットにおける複数のチャネル品質指標であり、
複数の前記チャネル品質指標の各々は、前記拡張設定情報の各々に含まれる前記情報により指定される前記下りリンク参照信号を参照して算出されるチャネル品質指標である通信方法。
【発明の詳細な説明】
【技術分野】
【０００１】
本発明は、端末装置、基地局装置、通信システムおよび通信方法に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような移動無線通信システムでは、基地局装置（基地局、送信局、下りリンク送信装置、上りリンク受信装置、ｅＮｏｄｅＢ）あるいは基地局装置に準じる送信局がカバーするエリアをセル（Ｃｅｌｌ）状に複数配置するセルラー構成とすることにより、通信エリアを拡大することができる。また、隣接するセル間またはセクタ間で異なる周波数を用いることでセル端（セルエッジ）領域またはセクタ端領域にいる端末装置（移動局装置、受信局、上りリンク送信装置、下りリンク受信装置、移動端末、ＵＥ；Ｕｓｅｒ  Ｅｑｕｉｐｍｅｎｔ）でも、複数の基地局装置からの送信信号の干渉を受けることなく通信を行うことができるが、周波数利用効率が低いという問題があった。一方、隣接するセルまたはセクタ間で同一周波数を利用することで、周波数利用効率を向上させることができるが、セル端領域にいる端末装置に対する干渉の対策が必要となる。
【０００３】
また、基地局装置と端末装置との間の伝送路状況に応じて、変調方式および符号化率（ＭＣＳ；  Ｍｏｄｕｌａｔｉｏｎ  ａｎｄ  Ｃｏｄｉｎｇ  Ｓｃｈｅｍｅ）や空間多重数（レイヤー数、ランク）やプレコーダ（プリコーダ）などを適応的に制御することで、より効率的なデータ伝送を実現することができる。非特許文献１および非特許文献２ではこれらの制御を行う方法が示されている。
【０００４】
図２１はＬＴＥにおける基地局装置２１０１と端末装置２１０２を示す図である。ＬＴＥにおいて、下りリンクで送信される下りリンク送信信号２１０３に対してＭＣＳや空間多重数やプレコーダを適応的に制御するに際し、端末装置２１０２は基地局装置２１０１から送信される下りリンク送信信号２１０３に含まれる下りリンク参照信号（ＤＬＲＳ：Ｄｏｗｎ  Ｌｉｎｋ  Ｒｅｆｅｒｅｎｃｅ  Ｓｉｇｎａｌ）を参照して、好適な空間多重数を指定するランク指標ＲＩ（Ｒａｎｋ  Ｉｎｄｉｃａｔｏｒ）、好適なプレコーダを指定するプレコーディング行列情報ＰＭＩ（Ｐｒｅｃｏｄｉｎｇ  Ｍａｔｒｉｘ  Ｉｎｄｉｃａｔｏｒ）、好適な伝送レートを指定するチャネル品質指標ＣＱＩ（Ｃｈａｎｎｅｌ  Ｑｕａｌｉｔｙ  Ｉｎｄｉｃａｔｏｒ）などに代表される受信品質情報（あるいはチャネル状態情報（ＣＳＩ；Ｃｈａｎｎｅｌ  Ｓｔａｔｅ  Ｉｎｆｏｒｍａｔｉｏｎ）とも称す）２１０４を計算し、上りリンクのチャネルを介して基地局装置２１０１に報告する。
【先行技術文献】
【非特許文献】
【０００５】
【非特許文献１】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｐｈｙｓｉｃａｌ  ｌａｙｅｒ  ｐｒｏｃｅｄｕｒｅｓ  （Ｒｅｌｅａｓｅ  １０）、２０１０年１２月、３ＧＰＰ  ＴＳ３６．２１３  Ｖ１０．０．１  （２０１０−１２）
【非特許文献２】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｒａｄｉｏ  Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ（Ｒｅｌｅａｓｅ  １０）、２０１０年１２月、３ＧＰＰ  ＴＳ３６．３３１  Ｖ１０．０．０  （２０１０−１２）
【発明の概要】
【発明が解決しようとする課題】
【０００６】
しかしながら、従来の通信方式では１種類のチャネル状態情報測定用参照信号を用いており、受信品質情報を送信する際に、状況によらず受信品質情報に対する処理が一義的であったため、伝送効率の向上を妨げる要因となっていた。
【０００７】
本発明は、上記問題を鑑みてなされたものであり、その目的は、受信品質情報を送信する際に、効率的な受信品質情報の報告を行なうことができる端末装置、基地局装置、通信システムおよび通信方法を提供することにある。
【課題を解決するための手段】
【０００８】
（１）この発明は上述した課題を解決するためになされたもので、本発明の一態様による端末装置は、基地局装置と通信を行う端末装置であって、複数のチャネル状態情報測定用参照信号を受信する受信部と、前記複数のチャネル状態情報測定用参照信号の各々を参照して複数のチャネル状態情報を生成するチャネル状態情報生成部と、前記複数のチャネル状態情報の各々を前記基地局装置に報告する報告送信部と、を備えることを特徴とする。
【０００９】
（２）また、本発明の一態様による端末装置は上記の端末装置であって、前記報告送信部は、前記複数のチャネル状態情報の各々を個別に設定されたタイミングで前記基地局装置に報告することを特徴とする。
【００１０】
（３）また、本発明の一態様による端末装置は上記の端末装置であって、前記チャネル状態情報生成部は、前記複数のチャネル状態情報測定用参照信号の各々を参照し、個別に設定された報告モードに従って、複数のチャネル状態情報を生成することを特徴とする。
【００１１】
（４）また、本発明の一態様による端末装置は上記の端末装置であって、前記チャネル状態情報生成部は、前記複数のチャネル状態情報測定用参照信号のうち、前記基地局装置により指定された少なくとも１つのチャネル状態情報測定用参照信号を抽出し、抽出されたチャネル状態情報測定用参照信号を参照してチャネル状態情報を生成し、前記報告送信部は、前記複数のチャネル状態情報の同じタイミングで前記基地局装置に報告することを特徴とする。
【００１２】
（５）また、本発明の一態様による端末装置は上記の端末装置であって、前記複数のチャネル状態情報測定用参照信号の各々は、個別に設定可能な物理セル識別子に基づいて生成された系列を用いて生成されることを特徴とする。
【００１３】
（６）また、本発明の一態様による基地局装置は、端末装置と通信を行う基地局装置であって、複数のチャネル状態情報測定用参照信号毎の設定情報を前記端末装置に通知する通知部と、前記複数のチャネル状態情報測定用参照信号の各々を参照して生成された複数のチャネル状態情報を受信する報告受信部と、を備えることを特徴とする。
【００１４】
（７）また、本発明の一態様による基地局装置は上記の基地局装置であって、前記複数のチャネル状態情報測定用参照信号毎の設定情報の各々は、それぞれ個別のタイミングを示す情報を含むことを特徴とする。
【００１５】
（８）また、本発明の一態様による基地局装置は上記の基地局装置であって、前記複数のチャネル状態情報測定用参照信号毎の設定情報の各々は、それぞれ個別の報告モードを示す情報を含むことを特徴とする。
【００１６】
（９）また、本発明の一態様による基地局装置は上記の基地局装置であって、前記通知部は更に、前記複数のチャネル状態情報測定用参照信号のうち、少なくとも１つのチャネル状態情報測定用参照信号を指定するチャネル状態情報測定用参照信号セット情報を含むことを特徴とする。
【００１７】
（１０）また、本発明の一態様による基地局装置は上記の基地局装置であって、前記複数のチャネル状態情報測定用参照信号毎の設定情報のうち少なくとも１つの設定情報は、それぞれ個別の物理セル識別子を示す情報を含むことを特徴とする。
【００１８】
（１１）また、本発明の一態様による通信システムは、基地局装置と端末装置との間で通信を行う通信システムであって、前記基地局装置は、複数のチャネル状態情報測定用参照信号毎の設定情報を前記端末装置に通知する通知部と、前記複数のチャネル状態情報測定用参照信号の各々を参照して生成された複数のチャネル状態情報を受信する報告受信部と、を備え、前記端末装置は、前記複数のチャネル状態情報測定用参照信号を受信する受信部と、前記複数のチャネル状態情報測定用参照信号の各々を参照して複数のチャネル状態情報を生成するチャネル状態情報生成部と、前記複数のチャネル状態情報の各々を前記基地局装置に報告する報告送信部と、を備えることを特徴とする。
【００１９】
（１２）また、本発明の一態様による通信方法は、基地局装置と通信を行う端末装置における通信方法であって、複数のチャネル状態情報測定用参照信号を受信するステップと、前記複数のチャネル状態情報測定用参照信号の各々を参照して複数のチャネル状態情報を生成するステップと、前記複数のチャネル状態情報の各々を前記基地局装置に報告するステップと、を備えることを特徴とする。
【００２０】
（１３）また、本発明の一態様による通信方法は、端末装置と通信を行う基地局装置における通信方法であって、複数のチャネル状態情報測定用参照信号毎の設定情報を前記端末装置に通知するステップと、前記複数のチャネル状態情報測定用参照信号の各々を参照して生成された複数のチャネル状態情報を受信するステップと、を備えることを特徴とする。
【発明の効果】
【００２１】
この発明によれば、受信品質情報を送信する際に、効率的な受信品質情報の報告を行なうことができる。
【図面の簡単な説明】
【００２２】
【図１】本発明の第１の実施形態に係る通信システムの構成を示す概略構成図である。
【図２】同実施形態における下りリンクの無線フレーム構成の一例を示している。
【図３】同実施形態における上りリンクの無線フレーム構成の一例を示している。
【図４】同実施形態における基地局装置のブロック構成の一例を示す概略図である。
【図５】同実施形態における端末装置のブロック構成の一例を示す概略図である。
【図６】同実施形態におけるサブフレームセットの構成例を示す図である。
【図７】同実施形態における周期的ＣＳＩフィードバックにおけるプロシージャの一例を示す図である。
【図８】同実施形態における周期的フィードバックのタイミングの一例を示す図である。
【図９】同実施形態における非周期的にＣＳＩをフィードバックするプロシージャの一例を示す図である。
【図１０】同実施形態におけるＲＲＣシグナリングの情報要素の構造の一例を示す図である。
【図１１】本発明の第２の実施形態に係る周期的ＣＳＩフィードバックにおけるプロシージャの一例を示す図である。
【図１２】同実施形態における非周期的にＣＳＩをフィードバックするプロシージャの一例を示す図である。
【図１３】同実施形態におけるＲＲＣシグナリングの情報要素の構造の一例を示す図である。
【図１４】本発明の第３の実施形態に係る通信システムの構成を示す概略構成図である。
【図１５】同実施形態における周期的にＣＳＩをフィードバックするプロシージャの一例を示す図である。
【図１６】同実施形態における非周期的にＣＳＩをフィードバックするプロシージャの一例を示す図である。
【図１７】同実施形態におけるＲＲＣシグナリングの情報要素の構造の一例を示す図である。
【図１８】本発明の第４の実施形態に係るＣＣの構成を示す概略構成図である。
【図１９】同実施形態における周期的にＣＳＩをフィードバックするプロシージャの一例を示す図である。
【図２０】同実施形態における非周期的にＣＳＩをフィードバックするプロシージャの一例を示す図である。
【図２１】通信システムの構成例を示す概略構成図である。
【発明を実施するための形態】
【００２３】
（第１の実施形態）
以下、図面を参照して、本発明の第１の実施形態について説明する。
【００２４】
図１は、本発明の第１の実施形態に係る通信システムの構成を示す概略構成図である。同図の通信システムはＬＴＥ−Ａシステムを想定しており、セルを構成する基地局装置（基地局、送信局、下りリンク送信装置、上りリンク受信装置、ｅＮｏｄｅＢ）１０１と端末装置（移動局装置、移動局、受信局、上りリンク送信装置、下りリンク受信装置、移動端末、ＵＥ；Ｕｓｅｒ  Ｅｑｕｉｐｍｅｎｔ）１０２とを含んで構成される。基地局装置１０１から送信される下りリンク送信信号に対してＭＣＳ（Ｍｏｄｕｌａｔｉｏｎ  ａｎｄ  Ｃｏｄｉｎｇ  Ｓｃｈｅｍｅ）やランクやプレコーダなどの送信パラメータを適応的に制御するに際し、端末装置１０２は基地局装置１０１から送信される下りリンク送信信号に含まれる下りリンク参照信号(以下、下りリンク参照信号ＤＬＲ又はＤＬＲＳとも記す)Ｓ１０３および１０４を参照して、好適な空間多重数を指定するランク指標ＲＩ、好適なプレコーダ（Ｐｒｅｆｅｒｒｅｄ  Ｐｒｅｃｏｄｅｒ）を指定する複数の部分プレコーダ情報ＰＩ（Ｐｒｅｃｏｄｅｒ  Ｉｎｆｏｒｍａｔｉｏｎ）、および好適な伝送レート（変調方式・符号化率・トランスポートブロックの長さなど）を指定するチャネル品質指標ＣＱＩなどの受信品質情報（あるいはチャネル状態情報（ＣＳＩ）とも称す）１０５を計算し、上りリンクのチャネルを介して、基地局装置１０１に報告する。
【００２５】
図２は、本実施形態に係る下りリンクの無線フレーム構成の一例を示している。下りリンクはＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）アクセス方式が用いられる。下りリンクでは、物理下りリンク制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）、物理下りリンク共用チャネル（ＰＤＳＣＨ；Ｐｈｙｓｉｃａｌ  Ｄｏｗｎｌｉｎｋ  Ｓｈａｒｅｄ  Ｃｈａｎｎｅｌ）などが割り当てられる。また、ＰＤＳＣＨの一部に下りリンク参照信号ＤＬＲＳが多重される。下りリンクの無線フレームは、下りリンクのリソースブロック（ＲＢ；Ｒｅｓｏｕｒｃｅ  Ｂｌｏｃｋ）ペアから構成されている。この下りリンクのＲＢペアは、下りリンクの無線リソースの割り当てなどの単位であり、予め決められた幅の周波数帯（ＲＢ帯域幅）及び時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成され、時間領域において７個のＯＦＤＭシンボルから構成される。周波数領域において１つのサブキャリア、時間領域において１つのＯＦＤＭシンボルにより規定される領域をリソースエレメント（ＲＥ；Ｒｅｓｏｕｒｃｅ  Ｅｌｅｍｅｎｔ）と称する。物理下りリンク制御チャネルは、端末装置識別子、物理下りリンク共用チャネルのスケジューリング情報、物理上りリンク共用チャネルのスケジューリング情報、変調方式、符号化率、再送パラメータなどの下りリンク制御情報が送信される物理チャネルである。なお、ここでは一つの要素キャリア（ＣＣ；Ｃｏｍｐｏｎｅｎｔ  Ｃａｒｒｉｅｒ）における下りリンクサブフレームを記載しているが、ＣＣ毎に下りリンクサブフレームが規定され、下りリンクサブフレームはＣＣ間でほぼ同期している。
【００２６】
図３は、本実施形態に係る上りリンクの無線フレーム構成の一例を示している。上りリンクはＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）方式が用いられる。上りリンクでは、物理上りリンク共用チャネル（Ｐｈｙｓｉｃａｌ  Ｕｐｌｉｎｋ  Ｓｈａｒｅｄ  Ｃｈａｎｎｅｌ；ＰＵＳＣＨ）、物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）などが割り当てられる。また、ＰＵＳＣＨやＰＵＣＣＨの一部に、上りリンク参照信号が割り当てられる。上りリンクの無線フレームは、上りリンクのＲＢペアから構成されている。この上りリンクのＲＢペアは、上りリンクの無線リソースの割り当てなどの単位であり、予め決められた幅の周波数帯（ＲＢ帯域幅）及び時間帯（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成され、時間領域において７個のＳＣ−ＦＤＭＡシンボルから構成される。なお、ここでは一つのＣＣにおける上りリンクサブフレームを記載しているが、ＣＣ毎に上りリンクサブフレームが規定される。
【００２７】
ここで、キャリア・アグリゲーションについて説明する。キャリア・アグリゲーションとは、複数の異なる周波数（コンポーネントキャリア）を集約（アグリゲーション）して一つの周波数帯域のように扱う技術である。例えば、キャリア・アグリゲーションによって周波数帯域幅が２０ＭＨｚのコンポーネントキャリアを５つ集約した場合、端末装置は１００ＭＨｚの周波数帯域幅とみなしてアクセスすることが可能となる。なお、集約するコンポーネントキャリアは連続した周波数であっても、全てまたは一部が不連続となる周波数であってもよい。例えば、使用可能な周波数が８００ＭＨｚ帯域、２．４ＧＨｚ帯域、３．４ＧＨｚ帯域である場合、ある一つのコンポーネントキャリアが８００ＭＨｚ帯域、別のコンポーネントキャリアが２ＧＨｚ帯域、さらに別のコンポーネントキャリアが３．４ＧＨｚ帯域で送信されていてもよい。
【００２８】
また、同一周波数帯、例えば２．４ＧＨｚ帯内の連続または不連続のコンポーネントキャリアを集約することも可能である。各コンポーネントキャリアの周波数帯域幅は２０ＭＨｚより狭い周波数帯域幅であっても良く、各々周波数帯域幅が異なっていても良い。基地局装置は、滞留しているデータバッファ量や端末装置の受信品質の報告、セル内の負荷やＱｏＳなどの種々の要因に基づいて、端末装置に割り当てる上りリンクまたは下りリンクのコンポーネントキャリアの数を増減することができる。なお、基地局装置が割り当てる上りリンクコンポーネントキャリアの数は、下りリンクコンポーネントキャリアの数と同じか少ないことが望ましい。基地局装置は、１つの下りリンクのコンポーネントキャリアと１つの上りリンクのコンポーネントキャリアを組み合わせて１つのセルを構成する。
【００２９】
上りリンクと下りリンクの周波数の対応関係は、報知情報に周波数情報として明示的に指示されるか、または明示的に指示されない場合に運用周波数毎に一意に決められる上りリンクと下りリンクの規定の周波数差の情報を用いるなどして暗黙的に指示される。これらの方法に限らず、セル毎に上りリンクと下りリンクの周波数の対応関係を示すことが可能であれば、これ以外の方法を用いて指示されても良い。
【００３０】
図４は、本実施形態に係る基地局装置のブロック構成の一例を示す概略図である。基地局装置は、下りリンクサブフレーム生成部４０１、ＯＦＤＭ信号送信部（通知部）４０４、送信アンテナ（基地局装置送信アンテナ）４０５、受信アンテナ（基地局装置受信アンテナ）４０６、ＳＣ−ＦＤＭＡ信号受信部（報告受信部）４０７、フィルタ部４０８、コードワード処理部４１０、上位層４１１を有する。下りリンクサブフレーム生成部４０１は、物理下りリンク制御チャネル生成部４０２、下り参照信号生成部４０３を有する。フィルタ部４０８はフィードバック情報抽出部４０９を有する。
【００３１】
図５は、本実施形態に係る端末装置のブロック構成の一例を示す概略図である。端末装置は、受信アンテナ（端末装置受信アンテナ）５０１、ＯＦＤＭ信号受信部（受信部）５０２、下りリンクサブフレーム処理部５０３、上位層５０６、フィードバック情報生成部（チャネル状態情報生成部）５０７、コードワード生成部５０８、上りリンクサブフレーム生成部５０９、ＳＣ−ＦＤＭＡ信号送信部（報告送信部）５１１、送信アンテナ（端末装置送信アンテナ）５１２を有する。下りリンクサブフレーム処理部５０３は、下り参照信号抽出部５０４、物理下りリンク制御チャネル抽出部５０５を有する。上りリンクサブフレーム生成部５０９は、フィードバック情報多重部５１０を有する。
【００３２】
まず、図４および図５を用いて、下りリンクの送受信の流れについて説明する。基地局装置では、上位層４１１から送られてくるコードワード（物理層における送信データ系列）毎の送信データ（トランスポートブロックとも称す）は、下りリンクサブフレーム生成部４０１において、誤り訂正符号化、レートマッチング処理、ＰＳＫ（Ｐｈａｓｅ  Ｓｈｉｆｔ  Ｋｅｙｉｎｇ）変調やＱＡＭ（Ｑｕａｄｒａｔｕｒｅ  Ａｍｐｌｉｔｕｄｅ  Ｍｏｄｕｌａｔｉｏｎ）変調などの変調処理により、変調シンボル系列に変換される。変調シンボル系列は、変調シンボル系列のマッピング単位であるリソースエレメント（ＲＥ；Ｒｅｓｏｕｒｃｅ  ｅｌｅｍｅｎｔ）にマッピングされ、上位層により指示されたプレコーダによりプレコーディング処理が施される。なお、下りリンクにおけるＲＥは、各ＯＦＤＭシンボル上の各サブキャリアに対応して規定される。このとき、上位層４１１から送られてくる送信データ系列は、ＲＲＣ（Ｒａｄｉｏ  Ｒｅｓｏｕｒｃｅ  Ｃｏｎｔｒｏｌ）シグナリング用の制御データを含む。また、物理下りリンク制御チャネル生成部４０２では、上位層４１１の指示により、物理下りリンク制御チャネルが生成される。ここで、物理下りリンク制御チャネルに含まれる制御情報は、下りリンクにおける送信パラメータ、上りリンクのリソース割り当て・上りリンクの送信パラメータ・ＣＱＩリクエストなどの情報を含む。下り参照信号生成部４０３は、下りリンク参照信号ＤＬＲＳが生成される。下りリンクサブフレーム生成部４０１は、物理下りリンク制御チャネルとＤＬＲＳとを、下りリンクサブフレーム内のＲＥにマッピングする。下りリンクサブフレーム生成部４０１で生成された下りリンクサブフレームは、ＯＦＤＭ信号送信部４０４においてＯＦＤＭ信号に変調され、送信アンテナ４０５を介して送信される。
【００３３】
端末装置では、受信アンテナ５０１を介して、ＯＦＤＭ信号受信部５０２においてＯＦＤＭ信号が受信され、ＯＦＤＭ復調処理が施される。下りリンクサブフレーム処理部５０３は、受信した下りリンクサブフレームから受信データを抽出して上位層５０６に送る。より具体的には、下りリンクサブフレーム生成部４０１における変調処理、レートマッチング処理、誤り訂正符号化に対応する復調処理、レートマッチング処理、誤り訂正復号化などが施される。下り参照信号抽出部５０４は、下り参照信号生成部４０３において生成され、下りリンクサブフレーム生成部４０１においてマッピングされたＤＬＲＳを抽出し、フィードバック情報生成部５０７に送る。物理下りリンク制御チャネル抽出部５０５は、物理下りリンク制御チャネル生成部４０２において生成され、下りリンクサブフレーム生成部４０１においてマッピングされた物理下りリンク制御チャネルに含まれる制御情報を抽出し、上位層５０６に送る。
【００３４】
ここで、基地局装置における下りリンクサブフレーム生成部４０１とＯＦＤＭ信号送信部４０４と送信アンテナ４０５とにおける処理、および端末装置における受信アンテナ５０１とＯＦＤＭ信号受信部５０２と下りリンクサブフレーム処理部５０３とにおける処理は、下りリンクのセル（ＣＣ）毎に行われる。また、フィードバック情報生成部５０７は、複数の下りリンクセルにおける受信品質情報（フィードバック情報、チャネル状態情報（ＣＳＩ）とも称す）を生成する。
【００３５】
次に、図４および図５を用いて、上りリンクの送受信の流れについて説明する。端末装置では、上位層５０６から送られてくるコードワード毎の送信データ（トランスポートブロックとも称す）は、コードワード生成部５０８において、誤り訂正符号化、レートマッチング処理などの処理により、コードワードＣＷ（Ｃｏｄｅ  Ｗｏｒｄ）に変換される。フィードバック情報生成部５０７は、上位層５０６の指示に従い、下りリンク参照信号抽出部５０７で抽出されたＤＬＲＳを用いて、ＲＩ・ＰＭＩ・ＣＱＩなどの符号化してフィードバック情報を生成する。上りリンクサブフレーム生成部５０９は、コードワード変調シンボル系列とフィードバック情報とを所定の方法で並び替えた後、上りリンクサブフレームにマッピングする。特に、フィードバック情報多重部５１０は、フィードバック情報を上りリンクサブフレームに多重する。ＳＣ−ＦＤＭＡ信号送信部５１１は、上りリンクサブフレームにＳＣ−ＦＤＭＡ変調を施してＳＣ−ＦＤＭＡ信号を生成し、送信アンテナ５１２を介して送信する。
【００３６】
基地局装置では、受信アンテナ４０６を介して、ＳＣ−ＦＤＭＡ信号受信部４０７においてＳＣ−ＦＤＭＡ信号が受信され、ＳＣ−ＦＤＭＡ復調処理が施される。フィルタ部４０８は、受信した上りリンクサブフレームからコードワードを抽出してコードワード処理部４１０に送る。コードワード処理部は、コードワードから受信データを抽出して上位層４１１に送る。より具体的には、コードワード生成部５０８におけるレートマッチング処理、誤り訂正符号化に対応するレートマッチング処理、誤り訂正復号化などが施すことにより受信データを抽出する。フィルタ部４０８内のフィードバック情報抽出部４０９は、フィードバック情報生成部５０７において生成され、下りリンクサブフレーム生成部４０１においてマッピングされたフィードバック情報を、上位層からの指示に従って抽出して復号化し、上位層４１１に送る。ここで、フィルタ部４０８が行うフィルタリング処理では、受信アンテナ４０６毎の受信信号に対して、ＺＦ（Ｚｅｒｏ  Ｆｏｒｃｉｎｇ）やＭＭＳＥ（Ｍｉｎｉｍｕｍ  Ｍｅａｎ  Ｓｑｕａｒｅ  Ｅｒｒｏｒ）やＭＬＤ（Ｍａｘｉｍｕｍ  Ｌｉｋｅｌｉｈｏｏｄ  Ｄｅｔｅｃｔｉｏｎ）などの方法を用いて、コードワード毎の信号を検出する。
【００３７】
図６は、サブフレームセット（サブフレームグループ・平均化グループとも称す）の構成例を示す図である。サブフレームセットは複数のサブフレームの集合である。図６では、サブフレームセット１とサブフレームセット２との２つのサブフレームセットが設定される場合について示している。この例では、サブフレームセット１は、サブフレームＳＦ＃０・ＳＦ＃３・ＳＦ＃６・ＳＦ＃９を含み、サブフレームセット２は、サブフレームＳＦ＃１・ＳＦ＃２・ＳＦ＃４を含んでいる。それぞれのサブフレームセットに含まれるサブフレームは、４０個のサブフレームを１周期として、４０ビットのビットマップ方式を用いて指定される。端末装置は、それぞれのサブフレームにおける雑音あるいは干渉信号電力を平均化し、平均化した雑音あるいは干渉信号電力を用いて、それぞれのサブフレームセットにおけるＣＳＩを計算する。なお、サブフレームセットは、必ずしも設定されない。サブフレームセットが設定されない端末装置は、サブフレームの制限無く、雑音あるいは干渉信号電力の平均化処理を行う。
【００３８】
図７は、本実施形態に係る周期的ＣＳＩフィードバックにおけるプロシージャの一例を示している。図７に示したプロシージャは、ＲＩ・ＰＭＩ・ＣＱＩ（Ｗ−ＣＱＩ（Ｗｉｄｅｂａｎｄ−ＣＱＩ）・Ｓ−ＣＱＩ（Ｓｕｂｂａｎｄ−ＣＱＩ））を周期的にフィードバックするプロシージャの一例である。なお、Ｗ−ＣＱＩはシステム帯域幅（コンポーネントキャリア帯域幅）を代表する１つのＣＱＩである、Ｓ−ＣＱＩはシステム帯域幅（コンポーネントキャリア帯域幅）を複数個に分割したそれぞれの帯域であるサブバンドを代表する１つのＣＱＩである。また、ここでいうフィードバックモード（報告モードとも称す）は、端末装置から基地局装置にフィードバックする受信品質情報のコンテンツの組み合わせ、それぞれのコンテンツの測定あるいは生成方法、およびそれぞれのコンテンツのフィードバック方法あるいはフィードバックに用いるリソースなどの設定を含み、大まかに分類すると、ＰＵＣＣＨを介してＣＳＩを報告する周期的フィードバックとＰＵＳＣＨを介してＣＳＩを報告する非周期的フィードバックに分類される。
【００３９】
まず、基地局装置はＲＲＣシグナリングを介して、端末装置におけるフィードバックのパラメータを設定し、周期的フィードバックを指示する（ステップＳ７０１）。パラメータとしては、複数のＤＬＲＳと複数のサブフレームセットとの組み合わせのそれぞれに対して、周期的フィードバックモードを設定する。周期的フィードバックモードの設定には、少なくとも周期とオフセットの設定が含まれる。なお、ここでは、ＤＬＲＳとして、ＣＳＩ−ＲＳ１およびＣＳＩ−ＲＳ２の２つのＤＬＲＳを想定し、サブフレームセットとしてはサブフレームセット１およびサブフレームセット２の２つのサブフレームセットを想定している。ここで、周期とはサブフレームの周期であり、ＣＳＩに含まれる各コンテンツをフィードバックする周期である。また、オフセットとはサブフレームのオフセットであり、ＣＳＩに含まれる各コンテンツをフィードバックするタイミングをシフトするオフセットである。周期とオフセットは、各コンテンツに対して個別に設定してもよいし、コンテンツ間で黙示的に関連付けることもできる。例えば、ＲＩとＷ−ＣＱＩの周期およびオフセットを個別に設定し、Ｗ−ＰＭＩとＳ−ＣＱＩを報告するタイミングは、Ｗ−ＣＱＩの周期およびオフセットから算出するようにすることができる。
【００４０】
周期的なフィードバックを指示された端末装置は、複数のＤＬＲＳと複数のサブフレームセットとの組み合わせのそれぞれに対して、周期的なＣＳＩのフィードバックを行う。
（１）ＣＳＩ−ＲＳ１とサブフレームセット１とに設定されたフィードバックのパラメータに従い、ＲＩ（ステップＳ７０２）とＷ−ＰＭＩ（ステップＳ７０３）とＷ−ＣＱＩ（ステップＳ７０４）とＳ−ＣＱＩ（ステップＳ７０５）とを周期的に基地局装置に報告する。
（２）ＣＳＩ−ＲＳ２とサブフレームセット１とに設定されたフィードバックのパラメータに従い、ＲＩ（ステップＳ７０６）とＷ−ＰＭＩ（ステップＳ７０７）とＷ−ＣＱＩ（ステップＳ７０８）とＳ−ＣＱＩ（ステップＳ７０９）とを周期的に基地局装置に報告する。
（３）ＣＳＩ−ＲＳ１とサブフレームセット２とに設定されたフィードバックのパラメータに従い、ＲＩ（ステップＳ７１０）とＷ−ＰＭＩ（ステップＳ７１１）とＷ−ＣＱＩ（ステップＳ７１２）とＳ−ＣＱＩ（ステップＳ７１３）とを周期的に基地局装置に報告する。
（４）ＣＳＩ−ＲＳ２とサブフレームセット２とに設定されたフィードバックのパラメータに従い、ＲＩ（ステップＳ７１４）とＷ−ＰＭＩ（ステップＳ７１５）とＷ−ＣＱＩ（ステップＳ７１６）とＳ−ＣＱＩ（ステップＳ７１７）とを周期的に基地局装置に報告する。
図８は、本実施形態に係る周期的フィードバックのタイミングの一例を示している。ＣＳＩ−ＲＳ１とサブフレームセット１と対するＣＳＩは周期Ｔ１でフィードバックし、ＣＳＩ−ＲＳ２とサブフレームセット１と対するＣＳＩは周期Ｔ２でフィードバックし、ＣＳＩ−ＲＳ１とサブフレームセット２と対するＣＳＩは周期Ｔ３でフィードバックし、ＣＳＩ−ＲＳ２とサブフレームセット２と対するＣＳＩは周期Ｔ４でフィードバックする。また、オフセットはすべて異なっている。なお、ここではすべての組み合わせにおいてＲＩ・Ｗ−ＰＭＩ・Ｗ−ＣＱＩ・Ｓ−ＣＱＩを報告する例を示しているが、これに限るものではない。報告するコンテンツの組み合わせも周期的フィードバックモードの設定に含めることで、任意の組み合わせにおけるＲＩやＣＱＩを報告しないなど、一部のコンテンツを報告しないようにすることもできる。また、逆に、上記以外のコンテンツを報告することもできる。
【００４１】
図９は、非周期的にＣＳＩをフィードバックするプロシージャの一例である。まず、基地局装置はＲＲＣシグナリングを介して、端末装置におけるフィードバックのパラメータを設定する（ステップＳ９０１）。パラメータとしては、ＣＳＩを報告するＤＬＲＳの組み合わせを含むことができる。すなわち、非周期的に報告するＣＳＩは、どのＤＬＲＳを参照して算出するＣＳＩであるかを指定するパラメータであって、例えば、ｎ種類（ｎは自然数）のＣＳＩ−ＲＳ１が設定されている場合、ｎビットのビットマップで表現することが可能である。また、パラメータとして、複数のＤＬＲＳと複数のサブフレームセットとの組み合わせのそれぞれに対して、非周期的フィードバックモードを設定することもできる。非周期的フィードバックモードは報告するコンテンツの組み合わせで規定される。
【００４２】
次に、基地局装置は、非周期的なフィードバックを指示する情報であるＣＳＩリクエストを端末装置に通知する（ステップＳ９０２）。また、フィードバック情報を同時に報告するリソース（例えば物理上りリンク共用チャネル）を割り当てる。ここで、サブフレームセットが設定されている場合、ＣＳＩリクエストを送信するサブフレームはいずれかのサブフレームセットに含まれるサブフレームである。ここでは、ＣＳＩリクエストを送信するサブフレームはサブフレームセット１に含まれるものとする。非周期的なフィードバックを指示された端末装置は、ステップＳ９０１において設定されたフィードバックのパラメータ（ＤＬＲＳの組み合わせ）に従い、各ＤＬＲＳにおけるＣＳＩを同時に（同じタイミングで）基地局装置に報告する（ステップＳ９０３）。図９では、ＣＳＩ−ＲＳ１とＣＳＩ−ＲＳ２の組み合わせが設定されている一例について示しているため、ＣＳＩ−ＲＳ１を参照して算出したＣＳＩとＣＳＩ−ＲＳ２を参照して算出したＣＳＩとを報告している。また、ステップ９０２のように、サブフレームセット１に含まれるサブフレームでＣＳＩリクエストが通知された場合、端末装置はサブフレームセット１における雑音あるいは干渉信号電力の平均値を用いてＣＳＩを計算する。なお、各ＣＳＩ−ＲＳを参照して算出したＣＳＩのそれぞれは、複数のＤＬＲＳと複数のサブフレームセットとの組み合わせのそれぞれに対して、個別に設定された非周期的フィードバックモードにより規定されたコンテンツを含むことができる。なお、ここではステップＳ９０２における端末装置におけるＣＱＩリクエストの通知を物理下りリンク制御チャネルを介した動的なシグナリングで行う例について説明するが、これに限るものではない。例えば、ＲＲＣシグナリングを介した準静的なシグナリングなどで、非周期的なフィードバックの指示を行うようにしても同様の効果を得ることができる。この場合、さらに報告するサブフレームを指定することが好ましい。
【００４３】
基地局装置が、サブクレームセット２に含まれるサブフレームを用いてＣＳＩリクエストを端末装置に通知（ステップＳ９０４）した場合、非周期的なフィードバックを指示された端末装置は、ステップＳ９０１において設定されたフィードバックのパラメータ（ＤＬＲＳの組み合わせ）に従い、各ＤＬＲＳにおけるＣＳＩを同時に（同じタイミングで）基地局装置に報告する（ステップＳ９０５）。図９では、ＣＳＩ−ＲＳ１とＣＳＩ−ＲＳ２の組み合わせが設定されている一例について示しているため、ＣＳＩ−ＲＳ１を参照して算出したＣＳＩとＣＳＩ−ＲＳ２を参照して算出したＣＳＩとを報告している。また、ステップ９０２のように、サブフレームセット２に含まれるサブフレームでＣＳＩリクエストが通知された場合、端末装置はサブフレームセット２における雑音あるいは干渉信号電力の平均値を用いてＣＳＩを計算する。なお、各ＣＳＩ−ＲＳを参照して算出したＣＳＩのそれぞれは、複数のＤＬＲＳと複数のサブフレームセットとの組み合わせのそれぞれに対して、個別に設定された非周期的フィードバックモードにより規定されたコンテンツを含むことができる。
【００４４】
なお、ここでは、サブフレームセット共通にＤＬＲＳの組み合わせが設定される場合について説明したが、これに限るものではない。サブフレームセット毎に個別にＤＬＲＳの組み合わせを設定することもできる。
【００４５】
また、サブフレームセットが設定される場合について説明したが、これに限るものではない。サブフレームセットが設定されない場合、複数のＤＬＲＳと複数のサブフレームセットとの組み合わせに代えて、複数のＤＬＲＳのそれぞれに対して、非周期的フィードバックモードを設定すればよい。
【００４６】
図１０は、ＲＲＣシグナリングの情報要素の構造の一例である。主要在圏セルであるＰＣｅｌｌ（プライマリセル）の設定は、様々なシステム情報、第１のＣＳＩ−ＲＳ設定、アンテナ情報、チャネル状態情報報告設定の各要素を含む。さらに、サブフレームセットを設定する場合は、サブフレームセット設定の各要素を含む。ここで、ＣＳＩ−ＲＳ設定の要素は、ＣＳＩ−ＲＳのポート数を指定する情報とＣＳＩ−ＲＳが配置されるサブフレームを指定する情報とを含む。より具体的には、ＣＳＩ−ＲＳが配置されるサブフレームの周期とオフセットとを指定する情報、および／またはサブフレーム内でＣＳＩ−ＲＳがマッピングされるリソースエレメントを指定する情報が含まれる。チャネル状態情報報告設定の要素は、非周期的報告モードの要素と周期的報告設定の要素とを有し、さらに周期的報告設定の要素は、周期およびオフセットの要素と周期的報告モードの要素とを含む。この周期およびオフセットは、サブフレームセットが設定されない場合のフィードバック、あるいはサブフレームセットが設定される場合のサブフレームセット１に関する周期的フィードバックに適用される。また、サブフレームセット設定は、サブフレームセット１設定およびサブフレームセット２設定の要素と、サブフレームセット２における周期的フィードバックの周期およびオフセットの要素を含む。以上が、１つのＣＳＩ−ＲＳに関するＣＳＩをフィードバックするシステムにおける情報要素と共通の情報要素である。
【００４７】
複数のＣＳＩ−ＲＳに関するＣＳＩをフィードバックするシステムにおける情報要素は、これらに加えて、拡張設定用の情報要素を有する。拡張設定は、２つめ以降のＣＳＩ−ＲＳに関するＣＳＩ−ＲＳ設定とアンテナ情報とＣＳＩ−ＲＳに用いられる系列を生成するために用いられる物理セル識別子（ＰＣＩ；Ｐｈｙｓｉｃａｌ  Ｃｅｌｌ  Ｉｄｅｎｔｉｔｙ）要素、キャリア周波数を指定する情報の要素あるいは関連在圏セル収容セル（関連収容セル）を指定する情報の要素、チャネル状態情報報告設定の要素を含む。ここで、キャリア周波数とは下りリンクのＣＣを指定する情報である。また、関連在圏セルとは、ＰＣｅｌｌあるいは二次在圏セルであるＳＣｅｌｌ（セカンダリセル）のいずれかであり、基地局装置が拡張設定により設定されるＣＳＩ−ＲＳを送信するＣＣと同じ周波数のＣＣを持つ在圏セルである。ここで、ＣＳＩ−ＲＳ設定は２つめ以降のＣＳＩ−ＲＳに関する情報であり、このＣＳＩ−ＲＳが配置されるサブフレームを指定する情報を含む。あるいは、それ以外のＣＳＩ−ＲＳに関連する情報を含んでもよい。例えば、このＣＳＩ−ＲＳとデータシンボルとの電力比を示す情報やＣＳＩ−ＲＳのポート数を含むことができる。
【００４８】
チャネル状態情報報告設定の要素は、２つめ以降のＣＳＩ−ＲＳに関する非周期的なＣＳＩフィードバックの設定である非周期的報告設定の要素と、２つめ以降のＣＳＩ−ＲＳに関する周期的なＣＳＩフィードバックの設定である周期的報告設定の要素とを含む。さらに、周期的報告設定の要素は、サブフレームセットが設定される場合のサブフレームセット１あるいはサブフレームセットが設定されない場合の周期的フィードバックのタイミングを示す周期およびオフセット（周期およびオフセット１）の要素と、サブフレームセットが設定される場合のサブフレームセット２の周期的フィードバックのタイミングを示す周期およびオフセット（周期およびオフセット２）の要素とを含む。 
【００４９】
これらの情報要素を用いて、図７のステップＳ７０１や図９のステップＳ９０１におけるＲＲＣシグナリングを介したパラメータ設定を実現することができる。これらのシグナリングは、上位層４１１と５０６との間で行われる。また、上位層５０６の指示の下で、フィードバック情報生成部５０７での各ＣＳＩの所定のタイミングでの生成や、上りリンクサブフレーム生成部５０９における所定のタイミングでの多重処理が行われる。一方、基地局装置内のフィルタ部４０８におけるフィードバック情報抽出部４０９は、上位層４１１の指示の下で、各ＣＳＩをそれぞれ所定のタイミングで取得する。
【００５０】
以上のように、基地局装置は、複数のチャネル状態情報測定用参照信号毎の設定情報を前記端末装置に通知し、前記複数のチャネル状態情報測定用参照信号の各々を参照して生成された複数のチャネル状態情報を受信する。また、前記複数のチャネル状態情報測定用参照信号毎の設定情報の各々は、それぞれ個別のタイミング・報告モードを含む。あるいは、上記の設定情報に加えて、前記複数のチャネル状態情報測定用参照信号のうち、少なくとも１つのチャネル状態情報測定用参照信号を指定するチャネル状態情報測定用参照信号セット情報を含む。 
【００５１】
また、端末装置は、基地局装置から通知された上記設定情報を設定し、複数のチャネル状態情報測定用参照信号を受信し、前記複数のチャネル状態情報測定用参照信号の各々を参照して複数のチャネル状態情報を生成し、前記複数のチャネル状態情報の各々を前記基地局装置に報告する。ここで、複数のチャネル状態情報の各々を個別に設定されたタイミングで前記基地局装置に報告する。あるいは、前記複数のチャネル状態情報測定用参照信号の各々を参照し、個別に設定された報告モードに従って、複数のチャネル状態情報を生成する。あるいは、上記の設定情報に加えて、上記チャネル状態情報測定用参照信号セット情報を設定し、指定された少なくとも１つのチャネル状態情報測定用参照信号を抽出し、抽出されたチャネル状態情報測定用参照信号を参照してチャネル状態情報を生成し、前記複数のチャネル状態情報の同じタイミングで前記基地局装置に報告する
【００５２】
言い換えると、基地局装置は複数種類のＣＳＩ−ＲＳ設定を端末装置に通知し、端末装置はそれぞれのＣＳＩ−ＲＳを参照して算出したＣＳＩをフィードバックする。このとき、各ＣＳＩ−ＲＳ設定は、それぞれ個別のＣＳＩ−ＲＳの位置（例えば周期およびオフセット）を示す情報を含む。また、基地局装置は、それぞれのＣＳＩ−ＲＳを参照して算出する各ＣＳＩに対して、
（１）非周期的報告モード
（２）周期的報告モード
（３）周期的報告フィードバックにおけるフィードバック周期およびオフセット（サブフレームセットが設定される場合は、サブフレームセット毎の周期的報告フィードバックにおける周期およびオフセット）
などを個別に設定する。また、非周期的フィードバックを行う場合、基地局装置は複数種類のＣＳＩ−ＲＳのうち、非周期的フィードバックによってＣＳＩを報告するＣＳＩ−ＲＳの組み合わせを、予め端末装置に通知する。
【００５３】
これにより、パラメータ設定（送信周期や送信電力やポート数など）の異なる複数種類のＣＳＩ−ＲＳに対するＣＳＩフィードバックパラメータ設定（フィードバックタイミングやフィードバックするコンテンツや参照するサブフレームセットなど）の自由度を向上することができるため、効率的な受信品質情報の報告を行なうことができる。
【００５４】
（第２の実施形態）
第１の実施形態では、サブフレームセットが設定された場合に、両方のサブフレームセットにおいて、２つ目以降のＣＳＩ−ＲＳに対応するＣＳＩを算出する場合について説明した。これに対して、本実施形態では、サブフレームセットが設定された場合に、１つ目のサブフレームセットにおいて、２つ目以降のＣＳＩ−ＲＳに対応するＣＳＩを算出する場合について説明する。以下、図面を参照して、本発明の第２の実施形態について説明する。なお、本実施形態に係る基地局装置および端末装置のブロック構成は、図４および図５に示したブロック構成と同様の構成で実現することができる。
【００５５】
図１１は、本実施形態に係る周期的ＣＳＩフィードバックにおけるプロシージャの一例を示している。図１１に示したプロシージャは、ＣＳＩを周期的にフィードバックするプロシージャの一例である。
【００５６】
まず、基地局装置はＲＲＣシグナリングを介して、端末装置におけるフィードバックのパラメータを設定し、周期的フィードバックを指示する（ステップＳ１１０１）。パラメータとしては、複数のＤＬＲＳと複数のサブフレームセットとの組み合わせのそれぞれに対して、周期的フィードバックモードを設定する。周期的フィードバックモードの設定には、少なくとも周期とオフセットの設定が含まれる。なお、ここでは、ＤＬＲＳとして、ＣＳＩ−ＲＳ１およびＣＳＩ−ＲＳ２の２つのＤＬＲＳを想定し、サブフレームセットとしてはサブフレームセット１およびサブフレームセット２の２つのサブフレームセットを想定している。ここで、周期とはサブフレームの周期であり、ＣＳＩに含まれる各コンテンツをフィードバックする周期である。また、オフセットとはサブフレームのオフセットであり、ＣＳＩに含まれる各コンテンツをフィードバックするタイミングをシフトするオフセットである。周期とオフセットは、各コンテンツに対して個別に設定してもよいし、コンテンツ間で黙示的に関連付けることもできる。例えば、ＲＩとＷ−ＣＱＩの周期およびオフセットを個別に設定し、Ｗ−ＰＭＩとＳ−ＣＱＩを報告するタイミングは、Ｗ−ＣＱＩの周期およびオフセットから算出するようにすることができる。
【００５７】
周期的なフィードバックを指示された端末装置は、複数のＤＬＲＳとサブフレームセット１との組み合わせのそれぞれに対して、周期的なＣＳＩのフィードバックを行う。
（１）ＣＳＩ−ＲＳ１とサブフレームセット１とに設定されたフィードバックのパラメータに従い、ＲＩ（ステップＳ１１０２）とＷ−ＰＭＩ（ステップＳ１１０３）とＷ−ＣＱＩ（ステップＳ１１０４）とＳ−ＣＱＩ（ステップＳ１１０５）とを周期的に基地局装置に報告する。
（２）ＣＳＩ−ＲＳ２とサブフレームセット１とに設定されたフィードバックのパラメータに従い、ＲＩ（ステップＳ１１０６）とＷ−ＰＭＩ（ステップＳ１１０７）とＷ−ＣＱＩ（ステップＳ１１０８）とＳ−ＣＱＩ（ステップＳ１１０９）とを周期的に基地局装置に報告する。
（３）ＣＳＩ−ＲＳ１とサブフレームセット２とに設定されたフィードバックのパラメータに従い、ＲＩ（ステップＳ１１１０）とＷ−ＰＭＩ（ステップＳ１１１１）とＷ−ＣＱＩ（ステップＳ１１１２）とＳ−ＣＱＩ（ステップＳ１１１３）とを周期的に基地局装置に報告する。
【００５８】
図１２は、非周期的にＣＳＩをフィードバックするプロシージャの一例である。まず、基地局装置はＲＲＣシグナリングを介して、端末装置におけるフィードバックのパラメータを設定する（ステップＳ１２０１）。パラメータとしては、ＣＳＩを報告するＤＬＲＳの組み合わせ（チャネル状態情報測定用参照信号セット情報）を含むことができる。すなわち、非周期的に報告するＣＳＩは、どのＤＬＲＳを参照して算出するＣＳＩであるかを指定するパラメータであって、例えば、ｎ種類（ｎは自然数）のＣＳＩ−ＲＳ１が設定されている場合、ｎビットのビットマップで表現することが可能である。また、パラメータとして、複数のＤＬＲＳとサブフレームセット１との組み合わせのそれぞれに対して、非周期的フィードバックモードを設定することもできる。非周期的フィードバックモードは報告するコンテンツの組み合わせで規定される。
【００５９】
次に、基地局装置は、非周期的なフィードバックを指示する情報であるＣＳＩリクエストを端末装置に通知する（ステップＳ１２０２）。また、フィードバック情報を同時に報告するリソース（例えば物理上りリンク共用チャネル）を割り当てる。ここで、サブフレームセットが設定されている場合、ＣＳＩリクエストを送信するサブフレームはいずれかのサブフレームセットに含まれるサブフレームである。ここでは、ＣＳＩリクエストを送信するサブフレームはサブフレームセット１に含まれるものとする。非周期的なフィードバックを指示された端末装置は、ステップＳ１２０１において設定されたフィードバックのパラメータ（ＤＬＲＳの組み合わせ）に従い、各ＤＬＲＳにおけるＣＳＩを同時に（同じタイミングで）基地局装置に報告する（ステップＳ１２０３）。図１２では、ＣＳＩ−ＲＳ１とＣＳＩ−ＲＳ２の組み合わせが設定されている一例について示しているため、ＣＳＩ−ＲＳ１を参照して算出したＣＳＩとＣＳＩ−ＲＳ２を参照して算出したＣＳＩとを報告している。また、ステップＳ１２０２のように、サブフレームセット１に含まれるサブフレームでＣＳＩリクエストが通知された場合、端末装置はサブフレームセット１における雑音あるいは干渉信号電力の平均値を用いてＣＳＩを計算する。なお、各ＣＳＩ−ＲＳを参照して算出したＣＳＩのそれぞれは、複数のＤＬＲＳと複数のサブフレームセットとの組み合わせのそれぞれに対して、個別に設定された非周期的フィードバックモードにより規定されたコンテンツを含むことができる。
【００６０】
基地局装置が、サブクレームセット２に含まれるサブフレームを用いてＣＳＩリクエストを端末装置に通知（ステップＳ１２０４）した場合、非周期的なフィードバックを指示された端末装置は、１つ目のＤＬＲＳにおけるＣＳＩのみを基地局装置に報告する（ステップＳ１２０５）。
【００６１】
なお、ここでは、サブフレームセット共通にＤＬＲＳの組み合わせが設定される場合について説明したが、これに限るものではない。サブフレームセット毎に個別にＤＬＲＳの組み合わせを設定することもできる。
【００６２】
また、サブフレームセットが設定される場合について説明したが、これに限るものではない。サブフレームセットが設定されない場合、複数のＤＬＲＳとサブフレームセット１との組み合わせに代えて、複数のＤＬＲＳのそれぞれに対して、非周期的フィードバックモードを設定すればよい。
【００６３】
図１３は、ＲＲＣシグナリングの情報要素の構造の一例である。第１の実施形態における情報要素の構造との違いは、拡張設定内のチャネル状態情報報告設定において、周期的フィードバックの周期およびオフセットが、サブフレームセット１と２つ目以降のＣＳＩ−ＲＳの組み合わせ（サブフレームセットが設定されない場合は単に２つ目以降のＣＳＩ−ＲＳ）におけるものだけである点である。
【００６４】
これらの情報要素を用いて、図７のステップＳ７０１や図９のステップＳ９０１におけるＲＲＣシグナリングを介したパラメータ設定を実現することができる。これらのシグナリングは、上位層４１１と５０６との間で行われる。また、上位層５０６の指示の下で、フィードバック情報生成部５０７での各ＣＳＩの所定のタイミングでの生成や、上りリンクサブフレーム生成部５０９における所定のタイミングでの多重処理が行われる。一方、基地局装置内のフィルタ部４０８におけるフィードバック情報抽出部４０９は、上位層４１１の指示の下で、各ＣＳＩをそれぞれ所定のタイミングで取得する。
【００６５】
以上のように、基地局装置は複数種類のＣＳＩ−ＲＳ設定を端末装置に通知し、端末装置はそれぞれのＣＳＩ−ＲＳを参照して算出したＣＳＩをフィードバックする。このとき、各ＣＳＩ−ＲＳ設定は、それぞれ個別のＣＳＩ−ＲＳの位置（例えば周期およびオフセット）を示す情報を含む。また、基地局装置は、それぞれのＣＳＩ−ＲＳを参照して算出する各ＣＳＩに対して、
（１）非周期的報告モード
（２）周期的報告モード
（３）周期的報告フィードバックにおけるフィードバック周期およびオフセット（サブフレームセットが設定される場合は、サブフレームセット１の周期的報告フィードバックにおける周期およびオフセット）
などを個別に設定する。また、非周期的フィードバックを行う場合、基地局装置は複数種類のＣＳＩ−ＲＳのうち、非周期的フィードバックによってＣＳＩを報告するＣＳＩ−ＲＳの組み合わせを、予め端末装置に通知する。
【００６６】
これにより、パラメータ設定（送信周期や送信電力やポート数など）の異なる複数種類のＣＳＩ−ＲＳに対するＣＳＩフィードバックパラメータ設定（フィードバックタイミングやフィードバックするコンテンツや参照するサブフレームセットなど）の自由度を向上することができるため、効率的な受信品質情報の報告を行なうことができる。
【００６７】
（第３の実施形態）
第３の実施形態では、ＣｏＭＰ（Ｃｏｏｒｄｉｎａｔｅｄ  Ｍｕｌｔｉｐｌｅ  Ｐｏｉｎｔ）システムにおいて、２つ目以降のＣＳＩ−ＲＳに対応するＣＳＩを算出する場合について説明する。以下、図面を参照して、本発明の第３の実施形態について説明する。なお、本実施形態に係る基地局装置および端末装置のブロック構成は、図４および図５に示したブロック構成と同様の構成で実現することができる。
【００６８】
図１４は、本発明の第３の実施形態に係る通信システムの構成を示す概略構成図である。同図の通信システムはＬＴＥ−Ａシステムを想定しており、セルを構成する基地局装置１４０１と協調基地局装置（あるいは協調送信点）１４０２と端末装置１４０３とを含んで構成される。基地局装置１４０１および協調基地局装置１４０２から送信される下りリンク送信信号に対してＭＣＳやランクやプレコーダなどの送信パラメータを適応的に制御するに際し、端末装置１４０３は、基地局装置１４０１から送信される下りリンク送信信号に含まれるＤＬＲＳ１４０４および協調基地局装置１４０２から送信される下りリンク送信信号に含まれるＤＬＲＳ１４０５を参照し、それぞれのＤＬＲＳに対するＣＳＩ１４０６を計算し、上りリンクのチャネルを介して、基地局装置１４０１に報告する。
【００６９】
図１５は、本実施形態に係る周期的ＣＳＩフィードバックにおけるプロシージャの一例を示している。図１５に示したプロシージャは、ＣＳＩを周期的にフィードバックするプロシージャの一例である。
【００７０】
まず、基地局装置はＲＲＣシグナリングを介して、端末装置におけるフィードバックのパラメータを設定し、周期的フィードバックを指示する（ステップＳ１５０１）。パラメータとしては、複数のＲＣｅｌｌ（レポートセル、非在圏セル・協調セル、報告セル）と複数のサブフレームセットとの組み合わせのそれぞれに対して、周期的フィードバックモードを設定する。ここでＲＣｅｌｌとは、ＰＣｅｌｌ・ＳＣｅｌｌ以外のセルであって、かつＣＳＩを計算する対象となるセル（ＣＳＩ報告セル）である。周期的フィードバックモードの設定には、少なくとも周期とオフセットの設定が含まれる。なお、ここでは、ＣＳＩ報告セルとして、ＰＣｅｌｌおよびＲＣｅｌｌの２つのセルを想定し、サブフレームセットとしてはサブフレームセット１およびサブフレームセット２の２つのサブフレームセットを想定している。ここで、周期とはサブフレームの周期であり、ＣＳＩに含まれる各コンテンツをフィードバックする周期である。また、オフセットとはサブフレームのオフセットであり、ＣＳＩに含まれる各コンテンツをフィードバックするタイミングをシフトするオフセットである。周期とオフセットは、各コンテンツに対して個別に設定してもよいし、コンテンツ間で黙示的に関連付けることもできる。例えば、ＲＩとＷ−ＣＱＩの周期およびオフセットを個別に設定し、Ｗ−ＰＭＩとＳ−ＣＱＩを報告するタイミングは、Ｗ−ＣＱＩの周期およびオフセットから算出するようにすることができる。
【００７１】
周期的なフィードバックを指示された端末装置は、複数のＣＳＩ報告セルと複数のサブフレームセットとの組み合わせのそれぞれに対して、周期的なＣＳＩのフィードバックを行う。
（１）ＰＣｅｌｌとサブフレームセット１とに設定されたフィードバックのパラメータに従い、ＲＩ（ステップＳ１５０２）とＷ−ＰＭＩ（ステップＳ１５０３）とＷ−ＣＱＩ（ステップＳ１５０４）とＳ−ＣＱＩ（ステップＳ１５０５）とを周期的に基地局装置に報告する。
（２）ＲＣｅｌｌとサブフレームセット１とに設定されたフィードバックのパラメータに従い、ＲＩ（ステップＳ１５０６）とＷ−ＰＭＩ（ステップＳ１５０７）とＷ−ＣＱＩ（ステップＳ１５０８）とＳ−ＣＱＩ（ステップＳ１５０９）とを周期的に基地局装置に報告する。
（３）ＰＣｅｌｌとサブフレームセット２とに設定されたフィードバックのパラメータに従い、ＲＩ（ステップＳ１５１０）とＷ−ＰＭＩ（ステップＳ１５１１）とＷ−ＣＱＩ（ステップＳ１５１２）とＳ−ＣＱＩ（ステップＳ１５１３）とを周期的に基地局装置に報告する。
（４）ＲＣｅｌｌとサブフレームセット２とに設定されたフィードバックのパラメータに従い、ＲＩ（ステップＳ１５１４）とＷ−ＰＭＩ（ステップＳ１５１５）とＷ−ＣＱＩ（ステップＳ１５１６）とＳ−ＣＱＩ（ステップＳ１５１７）とを周期的に基地局装置に報告する。
【００７２】
図１６は、非周期的にＣＳＩをフィードバックするプロシージャの一例である。まず、基地局装置はＲＲＣシグナリングを介して、端末装置におけるフィードバックのパラメータを設定する（ステップＳ１６０１）。パラメータとしては、ＣＳＩを報告するＣＳＩ報告セルの組み合わせ（チャネル状態情報測定用参照信号セット情報）を含むことができる。すなわち、非周期的に報告するＣＳＩは、どのＣＳＩ報告セルにおけるＤＬＲＳを参照して算出するＣＳＩであるかを指定するパラメータであって、例えば、ｎ種類（ｎは自然数）のＣＳＩ報告セルが設定されている場合、ｎビットのビットマップで表現することが可能である。また、パラメータとして、複数のＣＳＩ報告セルと複数のサブフレームセットとの組み合わせのそれぞれに対して、非周期的フィードバックモードを設定することもできる。非周期的フィードバックモードは報告するコンテンツの組み合わせで規定される。あるいは、ＣＳＩを報告する在圏セルの組み合わせを設定しておき、組み合わせに含まれる在圏セルに関連するＲＣｅｌｌのＣＳＩを併せて報告するようにしてもよい。または、ＣＳＩを報告する在圏セルの組み合わせと、ＣＳＩを報告するＲＣｅｌｌの組み合わせとを個別に設定しておき、両方の組み合わせに含まれるセルに対応するＣＳＩを同時に報告するようにしてもよい。このとき、ｍ種類（ｍは自然数）のＲＣｅｌｌが設定されている場合、ＲＣｅｌｌの組み合わせ（チャネル状態情報測定用参照信号セット情報）はｍビットのビットマップで表現することができる。または、ＲＣｅｌｌ毎の非周期的フィードバックの設定に、関連する在圏セルの非周期フィードバックが指示された場合に当該ＲＣｅｌｌのフィードバックを同時に行うか否かを示す情報を含めるようにしてもよい。
【００７３】
次に、基地局装置は、非周期的なフィードバックを指示する情報であるＣＳＩリクエストを端末装置に通知する（ステップＳ１６０２）。また、フィードバック情報を同時に報告するリソース（例えば物理上りリンク共用チャネル）を割り当てる。ここで、サブフレームセットが設定されている場合、ＣＳＩリクエストを送信するサブフレームはいずれかのサブフレームセットに含まれるサブフレームである。ここでは、ＣＳＩリクエストを送信するサブフレームはサブフレームセット１に含まれるものとする。非周期的なフィードバックを指示された端末装置は、ステップＳ１６０１において設定されたフィードバックのパラメータ（ＣＳＩ報告セルの組み合わせ）に従い、各ＣＳＩ報告セルにおけるＣＳＩを同時に（同じタイミングで）基地局装置に報告する（ステップＳ１６０３）。図１６では、ＣＳＩ報告セルとしてＰＣｅｌｌと１つのＲＣｅｌｌの組み合わせが設定されている一例について示しているため、ＰＣｅｌｌを参照して算出したＣＳＩと１つのＲＣｅｌｌを参照して算出したＣＳＩとを報告している。また、ステップＳ１６０２のように、サブフレームセット１に含まれるサブフレームでＣＳＩリクエストが通知された場合、端末装置はサブフレームセット１における雑音あるいは干渉信号電力の平均値を用いてＣＳＩを計算する。なお、各ＣＳＩ報告セルにおけるＣＳＩ−ＲＳを参照して算出したＣＳＩのそれぞれは、複数のＣＳＩ報告セルと複数のサブフレームセットとの組み合わせのそれぞれに対して、個別に設定された非周期的フィードバックモードにより規定されたコンテンツを含むことができる。なお、ここではステップＳ１６０２における端末装置におけるＣＳＩリクエストの通知を物理下りリンク制御チャネルを介した動的なシグナリングで行う例について説明するが、これに限るものではない。例えば、ＲＲＣシグナリングを介した準静的なシグナリングなどで、非周期的なフィードバックの指示を行うようにしても同様の効果を得ることができる。この場合、さらに報告するサブフレームを指定することが好ましい。
【００７４】
基地局装置が、サブクレームセット２に含まれるサブフレームを用いてＣＳＩリクエストを端末装置に通知（ステップＳ１６０４）した場合、非周期的なフィードバックを指示された端末装置は、ステップＳ１６０１において設定されたフィードバックのパラメータ（ＣＳＩ報告セルの組み合わせ）に従い、各ＣＳＩ報告セルのＤＬＲＳにおけるＣＳＩを同時に（同じタイミングで）基地局装置に報告する（ステップＳ１６０５）。図１６では、ＰＣｅｌｌと１つのＲＣｅｌｌの組み合わせが設定されている一例について示しているため、ＰＣｅｌｌを参照して算出したＣＳＩと１つのＲＣｅｌｌを参照して算出したＣＳＩとを報告している。また、ステップＳ１６０２のように、サブフレームセット２に含まれるサブフレームでＣＳＩリクエストが通知された場合、端末装置はサブフレームセット２における雑音あるいは干渉信号電力の平均値を用いてＣＳＩを計算する。なお、各ＣＳＩ報告セルにおけるＣＳＩ−ＲＳを参照して算出したＣＳＩのそれぞれは、複数のＣＳＩ報告セルと複数のサブフレームセットとの組み合わせのそれぞれに対して、個別に設定された非周期的フィードバックモードにより規定されたコンテンツを含むことができる。
【００７５】
なお、ここでは、サブフレームセット共通にＣＳＩ報告セルの組み合わせが設定される場合について説明したが、これに限るものではない。サブフレームセット毎に個別にＣＳＩ報告セルの組み合わせを設定することもできる。あるいは、第２の実施形態と同様に、サブフレームセット１に対してのみＣＳＩ報告セルの組み合わせを設定し、サブフレームセット２に対しては在圏セルのみＣＳＩを報告するようにすることもできる。
【００７６】
また、サブフレームセットが設定される場合について説明したが、これに限るものではない。サブフレームセットが設定されない場合、複数のＣＳＩ報告セルと複数のサブフレームセットとの組み合わせに代えて、複数のＣＳＩ報告セルのそれぞれに対して、非周期的フィードバックモードを設定すればよい。
【００７７】
図１７は、ＲＲＣシグナリングの情報要素の構造の一例である。第１の実施形態における情報要素の構造との違いは、拡張設定がＲＣｅｌｌ設定になっている点である。
【００７８】
ＲＣｅｌｌ設定におけるチャネル状態情報報告設定の要素は、各ＲＣｅｌｌのＣＳＩ−ＲＳに関する非周期的なＣＳＩフィードバックの設定である非周期的報告設定の要素と、各ＲＣｅｌｌのＣＳＩ−ＲＳに関する周期的なＣＳＩフィードバックの設定である周期的報告設定の要素とを含む。さらに、周期的報告設定の要素は、サブフレームセットが設定される場合のサブフレームセット１あるいはサブフレームセットが設定されない場合の周期的フィードバックのタイミングを示す周期およびオフセット（周期およびオフセット１）の要素と、サブフレームセットが設定される場合のサブフレームセット２の周期的フィードバックのタイミングを示す周期およびオフセット（周期およびオフセット２）の要素とを含む。 
【００７９】
これらの情報要素を用いて、図７のステップＳ７０１や図９のステップＳ９０１におけるＲＲＣシグナリングを介したパラメータ設定を実現することができる。これらのシグナリングは、上位層４１１と５０６との間で行われる。また、上位層５０６の指示の下で、フィードバック情報生成部５０７での各ＣＳＩの所定のタイミングでの生成や、上りリンクサブフレーム生成部５０９における所定のタイミングでの多重処理が行われる。一方、基地局装置内のフィルタ部４０８におけるフィードバック情報抽出部４０９は、上位層４１１の指示の下で、各ＣＳＩをそれぞれ所定のタイミングで取得する。
【００８０】
以上のように、基地局装置は１つ以上の各ＲＣｅｌｌ設定を端末装置に通知し、端末装置はそれぞれのＰＣｅｌｌ・ＳＣｅｌｌまたはＲＣｅｌｌにおけるＣＳＩ−ＲＳを参照して算出したＣＳＩをフィードバックする。このとき、各ＲＣｅｌｌ設定は、それぞれ個別のＣＳＩ−ＲＳの位置（例えば周期およびオフセット）を示す情報を含む。また、基地局装置は、それぞれのＰＣｅｌｌ・ＳＣｅｌｌまたはＲＣｅｌｌにおけるＣＳＩ−ＲＳを参照して算出する各ＣＳＩに対して、
（１）非周期的報告モード
（２）周期的報告モード
（３）周期的報告フィードバックにおけるタイミング、すなわち、フィードバック周期およびオフセット（サブフレームセットが設定される場合は、サブフレームセット毎の周期的報告フィードバックにおける周期およびオフセット）
などを個別に設定する。また、非周期的フィードバックを行う場合、基地局装置は複数種類のＣＳＩ報告セルのうち、非周期的フィードバックによってＣＳＩを報告するＣＳＩ報告セルの組み合わせを、予め端末装置に通知する。
【００８１】
これにより、パラメータ設定（送信周期や送信電力やポート数など）の異なる複数種類のＣＳＩ報告セルに対するＣＳＩフィードバックパラメータ設定（フィードバックタイミングやフィードバックするコンテンツや参照するサブフレームセットなど）の自由度を向上することができるため、効率的な受信品質情報の報告を行なうことができる。
【００８２】
（第４の実施形態）
第４の実施形態では、キャリアセグメントを用いたシステムにおいて、２つ目以降の帯域におけるＣＳＩ−ＲＳに対応するＣＳＩを算出する場合について説明する。以下、図面を参照して、本発明の第４の実施形態について説明する。なお、本実施形態に係る基地局装置および端末装置のブロック構成は、図４および図５に示したブロック構成と同様の構成で実現することができる。
【００８３】
図１８は、本発明の第４の実施形態に係るＣＣの構成を示す概略構成図である。下りリンクのシステム帯域は、通常の通信に用いるＣＣであるＤＬ−ＣＣ＃０に加えて、拡張された帯域であるキャリアセグメントＤＬ−ＣＳ＃１を有する。なお、ＤＬ−ＣＣ＃０・ＤＬ−ＣＳ＃１はすべてＰＣｅｌｌにおける帯域である。
【００８４】
図１９は、本実施形態に係る周期的ＣＳＩフィードバックにおけるプロシージャの一例を示している。図１９に示したプロシージャは、ＣＳＩを周期的にフィードバックするプロシージャの一例である。
【００８５】
まず、基地局装置はＲＲＣシグナリングを介して、端末装置におけるフィードバックのパラメータを設定し、周期的フィードバックを指示する（ステップＳ１９０１）。パラメータとしては、複数の帯域（ＣＣとキャリアセグメント）と複数のサブフレームセットとの組み合わせのそれぞれに対して、周期的フィードバックモードを設定する。ここでＣＳＩの報告対象であるＣＣおよびキャリアセグメントをＣＳＩ報告帯域と呼ぶ。周期的フィードバックモードの設定には、少なくとも周期とオフセットの設定が含まれる。なお、ここでは、ＣＳＩ報告帯域として、ＤＬ−ＣＣ＃０・ＤＬ−ＣＳ＃１の２つの帯域を想定し、サブフレームセットとしてはサブフレームセット１およびサブフレームセット２の２つのサブフレームセットを想定している。ここで、周期とはサブフレームの周期であり、ＣＳＩに含まれる各コンテンツをフィードバックする周期である。また、オフセットとはサブフレームのオフセットであり、ＣＳＩに含まれる各コンテンツをフィードバックするタイミングをシフトするオフセットである。周期とオフセットは、各コンテンツに対して個別に設定してもよいし、コンテンツ間で黙示的に関連付けることもできる。例えば、ＲＩとＷ−ＣＱＩの周期およびオフセットを個別に設定し、Ｗ−ＰＭＩとＳ−ＣＱＩを報告するタイミングは、Ｗ−ＣＱＩの周期およびオフセットから算出するようにすることができる。
【００８６】
周期的なフィードバックを指示された端末装置は、複数のＣＳＩ報告帯域と複数のサブフレームセットとの組み合わせのそれぞれに対して、周期的なＣＳＩのフィードバックを行う。
（１）ＤＬ−ＣＣ＃０とサブフレームセット１とに設定されたフィードバックのパラメータに従い、ＲＩ（ステップＳ１９０２）とＷ−ＰＭＩ（ステップＳ１９０３）とＷ−ＣＱＩ（ステップＳ１９０４）とＳ−ＣＱＩ（ステップＳ１９０５）とを周期的に基地局装置に報告する。
（２）ＤＬ−ＣＣ＃０とサブフレームセット２とに設定されたフィードバックのパラメータに従い、ＲＩ（ステップＳ１９０６）とＷ−ＰＭＩ（ステップＳ１９０７）とＷ−ＣＱＩ（ステップＳ１９０８）とＳ−ＣＱＩ（ステップＳ１９０９）とを周期的に基地局装置に報告する。
（３）ＤＬ−ＣＳ＃１とサブフレームセット２とに設定されたフィードバックのパラメータに従い、ＲＩ（ステップＳ１９１０）とＷ−ＰＭＩ（ステップＳ１９１１）とＷ−ＣＱＩ（ステップＳ１９１２）とＳ−ＣＱＩ（ステップＳ１９１３）とを周期的に基地局装置に報告する。
なお、ここでは、キャリアセグメントに関してはサブフレームセット２に関してのみフィードバックを行う場合を示したが、その他の組み合わせ（例えばＤＬ−ＣＳ＃１とサブフレームセット１）に関してもフィードバックを行ってもよい。
【００８７】
図２０は、非周期的にＣＳＩをフィードバックするプロシージャの一例である。まず、基地局装置はＲＲＣシグナリングを介して、端末装置におけるフィードバックのパラメータを設定する（ステップＳ２００１）。パラメータとしては、ＣＳＩを報告するＣＳＩ報告帯域の組み合わせ（チャネル状態情報測定用参照信号セット情報）を含むことができる。すなわち、非周期的に報告するＣＳＩは、どのＣＳＩ報告帯域におけるＤＬＲＳを参照して算出するＣＳＩであるかを指定するパラメータであって、例えば、ｎ種類（ｎは自然数）のＣＳＩ報告帯域が設定されている場合、ｎビットのビットマップで表現することが可能である。また、パラメータとして、複数のＣＳＩ報告帯域と複数のサブフレームセットとの組み合わせのそれぞれに対して、非周期的フィードバックモードを設定することもできる。非周期的フィードバックモードは報告するコンテンツの組み合わせで規定される。あるいは、ＣＳＩを報告する在圏セルの組み合わせを設定しておき、組み合わせに含まれる在圏セルに関連するキャリアセグメントのＣＳＩを併せて報告するようにしてもよい。または、ＣＳＩを報告する在圏セルの組み合わせと、ＣＳＩを報告するキャリアセグメントの組み合わせとを個別に設定しておき、両方の組み合わせに含まれるセルに対応するＣＳＩを同時に報告するようにしてもよい。このとき、ｍ種類（ｍは自然数）のキャリアセグメントが設定されている場合、キャリアセグメントの組み合わせ（チャネル状態情報測定用参照信号セット情報）はｍビットのビットマップで表現することができる。
【００８８】
次に、基地局装置は、非周期的なフィードバックを指示する情報であるＣＳＩリクエストを端末装置に通知する（ステップＳ２００２）。また、フィードバック情報を同時に報告するリソース（例えば物理上りリンク共用チャネル）を割り当てる。ここで、サブフレームセットが設定されている場合、ＣＳＩリクエストを送信するサブフレームはいずれかのサブフレームセットに含まれるサブフレームである。ここでは、ＣＳＩリクエストを送信するサブフレームはサブフレームセット１に含まれるものとする。非周期的なフィードバックを指示された端末装置は、ステップＳ２００１において設定されたフィードバックのパラメータ（ＣＳＩ報告帯域の組み合わせ）に従い、各ＣＳＩ報告帯域におけるＣＳＩを同時に（同じタイミングで）基地局装置に報告する（ステップＳ２００３）。図２０では、ＣＳＩ報告セルとしてＤＬ−ＣＣ＃０とＤＬ−ＣＳ＃１の組み合わせが設定されている一例について示しているため、ＤＬ−ＣＣ＃０を参照して算出したＣＳＩとＤＬ−ＣＳ＃１を参照して算出したＣＳＩとを報告している。また、ステップＳ２００２のように、サブフレームセット１に含まれるサブフレームでＣＳＩリクエストが通知された場合、端末装置はサブフレームセット１における雑音あるいは干渉信号電力の平均値を用いてＣＳＩを計算する。なお、各ＣＳＩ報告帯域におけるＣＳＩ−ＲＳを参照して算出したＣＳＩのそれぞれは、複数のＣＳＩ報告帯域と複数のサブフレームセットとの組み合わせのそれぞれに対して、個別に設定された非周期的フィードバックモードにより規定されたコンテンツを含むことができる。なお、ここではステップＳ２００２における端末装置におけるＣＳＩリクエストの通知を物理下りリンク制御チャネルを介した動的なシグナリングで行う例について説明するが、これに限るものではない。例えば、ＲＲＣシグナリングを介した準静的なシグナリングなどで、非周期的なフィードバックの指示を行うようにしても同様の効果を得ることができる。この場合、さらに報告するサブフレームを指定することが好ましい。
【００８９】
基地局装置が、サブクレームセット２に含まれるサブフレームを用いてＣＳＩリクエストを端末装置に通知（ステップＳ２００４）した場合、非周期的なフィードバックを指示された端末装置は、ステップＳ２００１において設定されたフィードバックのパラメータ（ＣＳＩ報告セルの組み合わせ）に従い、各ＣＳＩ報告帯域のＤＬＲＳにおけるＣＳＩを同時に（同じタイミングで）基地局装置に報告する（ステップＳ２００５）。図２０では、ＤＬ−ＣＣ＃０とＤＬ−ＣＳ＃１の組み合わせが設定されている一例について示しているため、ＤＬ−ＣＣ＃０を参照して算出したＣＳＩとＤＬ−ＣＳ＃１を参照して算出したＣＳＩとを報告している。また、ステップＳ２００２のように、サブフレームセット２に含まれるサブフレームでＣＳＩリクエストが通知された場合、端末装置はサブフレームセット２における雑音あるいは干渉信号電力の平均値を用いてＣＳＩを計算する。なお、各ＣＳＩ報告帯域におけるＣＳＩ−ＲＳを参照して算出したＣＳＩのそれぞれは、複数のＣＳＩ報告帯域と複数のサブフレームセットとの組み合わせのそれぞれに対して、個別に設定された非周期的フィードバックモードにより規定されたコンテンツを含むことができる。
【００９０】
なお、ここでは、サブフレームセット共通にＣＳＩ報告帯域の組み合わせが設定される場合について説明したが、これに限るものではない。サブフレームセット毎に個別にＣＳＩ報告セルの組み合わせを設定することもできる。
【００９１】
また、サブフレームセットが設定される場合について説明したが、これに限るものではない。サブフレームセットが設定されない場合、複数のＣＳＩ報告帯域と複数のサブフレームセットとの組み合わせに代えて、複数のＣＳＩ報告帯域のそれぞれに対して、非周期的フィードバックモードを設定すればよい。
【００９２】
なお、ＲＲＣシグナリングの情報要素の構造は第３の実施形態における情報要素の構成において、ＲＣｅｌｌをキャリアセグメントに読み替えた構成を取ることができる。
【００９３】
以上のように、基地局装置は１つ以上の各キャリアセグメント設定を端末装置に通知し、端末装置はそれぞれのＰＣｅｌｌ・ＳＣｅｌｌにおけるＣＣまたはキャリアセグメントにおけるＣＳＩ−ＲＳを参照して算出したＣＳＩをフィードバックする。このとき、各キャリアセグメント設定は、それぞれ個別のＣＳＩ−ＲＳの位置（例えば周期およびオフセット）を示す情報を含む。また、基地局装置は、それぞれのＰＣｅｌｌ・ＳＣｅｌｌにおけるＣＣまたはキャリアセグメントにおけるＣＳＩ−ＲＳを参照して算出する各ＣＳＩに対して、
（１）非周期的報告モード
（２）周期的報告モード
（３）周期的報告フィードバックにおけるフィードバック周期およびオフセット（サブフレームセットが設定される場合は、サブフレームセット毎の周期的報告フィードバックにおける周期およびオフセット）
などを個別に設定する。また、非周期的フィードバックを行う場合、基地局装置は複数種類のＣＳＩ報告帯域のうち、非周期的フィードバックによってＣＳＩを報告するＣＳＩ報告帯域の組み合わせを、予め端末装置に通知する。
【００９４】
これにより、パラメータ設定（送信周期や送信電力やポート数など）の異なる複数種類のＣＳＩ報告帯域に対するＣＳＩフィードバックパラメータ設定（フィードバックタイミングやフィードバックするコンテンツや参照するサブフレームセットなど）の自由度を向上することができるため、効率的な受信品質情報の報告を行なうことができる。
【００９５】
なお、本実施形態では、１つの在圏セル内のＣＣとキャリアセグメントに対して個別のＣＳＩ−ＲＳ設定を行う場合について説明したが、これに限るものではない。例えばＣＳＩ−ＲＳの位置（周期およびオフセット）を共通にすることができる。この場合にも、非周期的報告モードや、周期的報告モードは個別に設定してもよい。
【００９６】
なお、基地局装置の全部または一部、あるいは端末装置の全部または一部との機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００９７】
また、「コンピュータシステム」は、ＷＷＷシステムを利用している場合であれば、ホームページ提供環境（あるいは表示環境）も含むものとする。
【００９８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００９９】
また、基地局装置の全部または一部と、端末装置の全部または一部との機能をそれぞれ集積回路に集約して実現してもよい。基地局装置、及び端末装置の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１００】
以上、この発明の実施形態を図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１０１】
本発明は、無線端末装置や無線基地局装置や無線通信システムや無線通信方法に用いて好適である。
【符号の説明】
【０１０２】
１０１、１４０１…基地局装置
１０２、１４０３…端末装置
１０３、１０４、１４０４、１４０５…下りリンク参照信号
１０５、１４０６…チャネル状態情報
４０１…下りリンクサブフレーム生成部
４０２…物理下りリンク制御チャネル生成部
４０３…下り参照信号生成部
４０４…ＯＦＤＭ信号送信部
４０５…送信アンテナ
４０６…受信アンテナ
４０７…ＳＣ−ＦＤＭＡ信号受信部
４０８…フィルタ部
４０９…フィードバック情報抽出部
４１０…コードワード処理部
４１１…上位層
５０１…受信アンテナ
５０２…ＯＦＤＭ信号受信部
５０３…下りリンクサブフレーム処理部
５０４…下り参照信号抽出部
５０５…物理下りリンク制御チャネル抽出部
５０６…上位層
５０７…フィードバック情報生成部
５０８…コードワード生成部
５０９…上りリンクサブフレーム生成部
５１０…フィードバック情報多重部
５１１…ＳＣ−ＦＤＭＡ信号送信部
５１２…送信アンテナ
１４０２…協調基地局装置
２１０１…基地局装置
２１０２…端末装置
２１０３…下りリンク参照信号
２１０４…チャネル状態情報
【図１】
0005896619.tif 000002
【図２】
0005896619.tif 000003
【図３】
0005896619.tif 000004
【図４】
0005896619.tif 000005
【図５】
0005896619.tif 000006
【図６】
0005896619.tif 000007
【図７】
0005896619.tif 000008
【図８】
0005896619.tif 000009
【図９】
0005896619.tif 000010
【図１０】
0005896619.tif 000011
【図１１】
0005896619.tif 000012
【図１２】
0005896619.tif 000013
【図１３】
0005896619.tif 000014
【図１４】
0005896619.tif 000015
【図１５】
0005896619.tif 000016
【図１６】
0005896619.tif 000017
【図１７】
0005896619.tif 000018
【図１８】
0005896619.tif 000019
【図１９】
0005896619.tif 000020
【図２０】
0005896619.tif 000021
【図２１】
0005896619.tif 000022